(57)【要約】【課題】市販の品質が良く、長期間使える長い棒状消しゴムと鉛筆補助軸とを一体とする。【解決手段】軸６に長い棒状消しゴム１を挿入して内部空間を満たすことにより消しゴムを内蔵し、軸６の一端に消しゴムを少し頭出ししてバンド２を嵌めて固定することにより、消しゴムホルダーとし、他端内部をテーパー状とし、ここに短くなった鉛筆を差し込んで保持する。【選択図】  図１
2004284157.tif 000002
【特許請求の範囲】
【請求項１】
一端に鉛筆を挿入して取り付け可能とした鉛筆補助軸の軸部となる中空パイプの内部空間に他端から長い棒状消しゴムを通し、その棒状消しゴムに、中心軸に並行な方向に割れ目を有し端方向に従って外径が小さくなるテーパー加工を施したバンドをテーパー先端から通し、このままバンドを中空パイプに押し込むとテーパー部によりバンドの割れ目が狭められ、消しゴムがバンドに締め付けられて中空パイプに固定される消しゴム付鉛筆であって、軸内部空間を長い棒状消しゴムで満たすことを可能とした消しゴム付鉛筆における上記バンド付鉛筆補助軸。
【発明の詳細な説明】
【０００１】
【発明の属する技術分野】
本発明は軸の内部空間に棒状の長い消しゴムを収納し、頻繁に補充することなく長い間にわたって消すことができる消しゴム付鉛筆補助軸に関する。
【０００２】
【従来の技術】
従来の消しゴム付鉛筆補助軸としては図６に示すように、クロムメッキした金属パイプ１３の上端に消しゴムがパイプ内にもぐり込まないように下端を絞った短いパイプ１４を接続し、この中に短い消しゴムを差し込んだものや図７に示すように木軸の先に短い金属パイプ１５を取り付け、その中に短い消しゴムを入れたものなどが存在する。又鉛筆補助軸ではないが、本発明に関連する棒状消しゴムを使用する用具の１例として図８の上端に示す孔１６から棒状消しゴムを挿入してノックすることにより他端１７から少しずつ消しゴムの頭出しをするノック式消しゴムホルダーなどが市販されている。
【０００３】
【発明が解決しようとする課題】
しかしながら、前記の消しゴム付補助軸の場合には上部に申し訳程度の短い消しゴムが付けられているため、減りがあまりにも速く長い間使えない上に、替えゴムの入手も容易でなく、又ゴム質が悪いので使い切るより先に老化したりして、消しゴム付補助軸としてより単なる補助軸としてしか使われていないのが現状である。
【０００４】
一方、よく消える本格的な品質の消しゴムとしては従来の角型消しゴムと並んで棒状消しゴムを差し込んで使うノック式消しゴムホルダーが各社から市販されている。しかしこれらは棒状消しゴムだけを使うための単なる消しゴムホルダーであって、短い鉛筆のための補助軸ではない。
【０００５】
このため短くなった鉛筆を使うためには別に補助軸が必要である。このようなわけでよく消え、かつ長く使える消しゴム付き鉛筆補助軸は市販されていない。
【０００６】
新しい鉛筆を削って使う場合は長いので補助軸は必要としない。鉛筆は使うにしたがって短くなり、手に持って書くことができないほど短くなった時、補助軸の出番となるが、現在市販の補助軸の軸内部は空洞のままで何も利用されていない。そこでこの遊んでいる空間に棒状消しゴムを入れて固定できれば良い品質の消しゴムと相まって鉛筆補助軸と消しゴムという２つの要素を合体させることになり、便利さが飛躍的に向上するとともに、棒状消しゴムホルダーとしても使えることは、わざわざ棒状消しゴム専用ホルダーを別途に用意する必要がなくなる。又市販の棒状消しゴム専用ホルダーは全てプラスチック素材からできているので公害、エコロジーの観点からも問題を残している。
【０００７】
【課題を解決するための手段】
鉛筆と消しゴムが別々のものであれば使用にも不便であり、また場所も取る。場合によっては探す必要も生じる。したがってこの二つは合体してこそ、便利で使いやすいものとなる。本発明の主たる課題は高品質の棒状消しゴムを現在何にも使われていない補助軸の内部空間に挿入することにより、鉛筆と消しゴムの両者が長い間使える一体型の補助軸であることを特徴とするものである。
【０００８】
【発明の実施の形態】
以下、本発明の実施の形態について図面を参照しながら詳述する。
【０００９】
以下、図１〜図５に基づいて本形態例に係る鉛筆補助軸について説明する。図１は一端（上部）に棒状消しゴム１が頭を出し、又他端（下部）に短い鉛筆１０を差し込んでセットした鉛筆補助軸である。図１は本形態例に係る鉛筆補助軸の完成図、図２は分解断面図である。
【００１０】
本鉛筆補助軸は、パイプ形状の軸６と、この上部に嵌め込まれるバンド２とから構成されるものである。
【００１１】
まず軸６について説明する。これはパイプ形状をしており上端は段差部分７を有し、下端は下に向かってパイプ内径が大きくなるテーパー部９を有している。下から上に向かってテーパー部９を過ぎたすぐ上には小孔８が設けられている。
【００１２】
次にバンド２について図３により説明する。これは割れ目５を有し、ほぼ上半分はローレット加工を施した滑り止め部３と下半分は下に向かって外径が小さくなるテーパー部４とから構成され、一体の金属管から作られている。
【００１３】
棒状消しゴム１をセットするには、まずバンド２に消しゴム１を通す。その際、消しゴムとして使うために図１に示すように消しゴム１をバンド２より少し上へ頭出しをしておく。
【００１４】
次に図２に示すように、このバンド２を持って消しゴム１を軸６の中へ挿入して行く。前記のバンド２は割れ目５を有しているので、バンド２のテーパー部４が軸の段差部７に挿入されるにつれて割れ目５の隙間が次第に狭められるようになっている。このとき、挟み込まれていた消しゴム１はバンド２により次第に締め付けられ、テーパー部分４が丁度軸６の中に入って見えなくなったとき、棒状消しゴム１は軸６に固定される。即ち消しゴム１はバンド２を介して軸６に固定され動かなくなる。
【００１５】
消しゴム１が短くなって交換する場合は上記操作の逆のことを行えばよい。即ちバンド２の滑り止め部３を持って軸６から引き抜けばバンド２の割れ目５の隙間が拡がるので、残った短い消しゴム１は容易にバンド２から取り出すことができる。
【００１６】
使用中に本鉛筆補助軸が転がることが懸念される場合には軸６を六角パイプで作ることも考えられるが、重くなるので図４に示すようにバンド部のみ六角バンド１２に示すような形状にすれば、この点は解消される。
【００１７】
図２に示す下端には鉛筆１０が嵌め込まれており、これが円形断面の場合でかつ軸６の内径と棒状消しゴム１の内径とがほぼ同寸法である場合には、空気の逃げる場所がなく押し出しポンプのようになって棒状消しゴム１が軸６の中に入りにくくなる。このため軸６に小孔を設け、空気抜き孔８としている。
【００１８】
短くなった鉛筆１０は軸６の下端に差し込んで使用する。少し力を入れて差し込むと軸６の下端のテーパー部９に鉛筆１０の木部が接すると図２に示すように少し潰れ気味になるが、ぐらつかずにしっかり固定される。
【００１９】
【発明の効果】
鉛筆を使用するときは消しゴムが近くにあってこそ効果を発揮する。一番良いのは鉛筆と消しゴムが一体となっていることであるが、現在市販されている消しゴム付補助軸には短い消しゴムしか付いておらず、又品質の良いものがない。その一方、軸内部は空洞が残されたままである。本補助軸は短くなった鉛筆を下端から差し込むだけなので、軸の太さは鉛筆の太さより軸６の管の肉厚分だけ僅かに太い程度であり、使用上は鉛筆とほぼ変わらない太さである。このため鉛筆を差し込んで使用する場合、太さと軽さの点で、鉛筆単独で使用する場合とほとんど違和感がなく使用することができる。しかも長期間使える棒状消しゴムを内蔵しているため、極めて使いやすい。新しい鉛筆を使う場合には長いので補助軸は必要ないが、その場合には消しゴムホルダーとして使うことができる。短い鉛筆を更に短く、そして最後まで使い切ることこそがエコロジーの精神に叶っているといえる。
【図面の簡単な説明】
【図１】本形態例に係る鉛筆補助軸を使用する場合の透視図である。
【図２】本鉛筆補助軸の断面図である。
【図３】棒状消しゴム１を固定するためのバンドの斜視図である。
【図４】補助軸の転がり防止のために棒状消しゴム１を固定するための六角バンドの斜視図である。
【図５】軸６の透視図である。
【図６】市販の金属製消しゴム付き鉛筆補助軸の斜視図である。
【図７】市販の木製消しゴム付き鉛筆補助軸の斜視図である。
【図８】市販のノック式棒状消しゴムホルダーの斜視図である。
【符号の説明】
１…市販の棒状消しゴム、２…バンド、３…バンドの滑り止め部、４…バンド下端のテーパー部、５…バンドの割れ目、６…軸部、７…軸部上端の段差部、８…空気抜き孔、９…軸部下端のテーパー部、１０…短い鉛筆、１１…六角バンド、１２…六角バンドの滑り止め部、１３…市販の金属製消しゴム付き補助軸の軸パイプ、１４…市販の金属製消しゴム付き補助軸の消しゴム保持部、１５…市販の木製消しゴム付き補助軸の消しゴム保持部、１６…ノック式消しゴムホルダーの棒状消しゴム差込口、１７…ノック式消しゴムホルダーの消しゴム保持部
【図１】
2004284157.tif 000003
【図２】
2004284157.tif 000004
【図３】
2004284157.tif 000005
【図４】
2004284157.tif 000006
【図５】
2004284157.tif 000007
【図６】
2004284157.tif 000008
【図７】
2004284157.tif 000009
【図８】
2004284157.tif 000010